(57)【要約】【課題】ＩＰ電話による通話中に第三者からの一般加入電話の着信があったときにこの第三者に対する応答を適切に行うことができるルータなどを提供する。【解決手段】ルータ１０は、ＩＰ電話および一般加入電話の両方が使用可能な第１の電話機２１がオンフック状態からオフフック状態となったことを表わす状態切換信号と通話中通知音声信号とを出力する通話中通知部１７と、第１の電話機２１が第１の電話機２１とインターネット網接続口１１1およびインターネット網３１を介して接続された第２の電話機２２とＩＰ電話による通話をしているときに電話機接続口１１4を介して通話中通知指示信号を第１の電話機２１から受け取ると、状態切換信号および通話中通知音声信号を出力するように指示する制御信号を通話中通知部１７に出力するルータ機能制御部１２とを具備する。【選択図】  図１
2007088558.tif 000002
【特許請求の範囲】
【請求項１】
インターネット網（３１）に接続されたインターネット網接続口（１１1）と、
一般加入電話網（３２）に接続された一般加入電話網接続口（１１3）と、
ＩＰ電話および一般加入電話の両方が使用可能な第１の電話機（２１）に接続された電話機接続口（１１4）と、
前記第１の電話機がオンフック状態からオフフック状態となったことを表わす状態切換信号と通話中通知音声信号とを出力する通話中通知部（１７）と、
前記第１の電話機が該第１の電話機と前記インターネット網接続口および前記インターネット網を介して接続された第２の電話機（２２）とＩＰ電話による通話をしているときに前記電話機接続口を介して通話中通知指示信号を該第１の電話機から受け取ると、前記状態切換信号および前記通話中通知音声信号を出力するように指示する制御信号を前記通話中通知部に出力するルータ機能制御部（１２）と、
を具備することを特徴とする、ルータ。
【請求項２】
前記ルータ機能制御部が、前記通話中通知指示信号を前記第１の電話機から受け取る代わりに、該第１の電話機がオンフックされたことを表わすオンフック信号が所定の時間内に該第１の電話機から入力されない場合に、前記制御信号を前記通話中通知部に出力することを特徴とする、請求項１記載のルータ。
【請求項３】
前記ルータ機能制御部が、前記通話中通知指示信号を前記第１の電話機から受け取る代わりに、該第１の電話機において特定の番号が押されたことを表わす特定番号信号を該第１の電話機から受け取った場合に、前記制御信号を前記通話中通知部に出力することを特徴とする、請求項１記載のルータ。
【請求項４】
前記ルータ機能制御部が、前記制御信号を前記通話中通知部に出力したのちに、前記一般加入電話網から前記一般加入電話網接続口に送信されてきた緊急通知信号を受け取ると、「緊急の用事の着信である」旨を表わす緊急用事通知音声信号を前記第１の電話機に出力することを特徴とする、請求項１乃至３いずれかに記載のルータ。
【請求項５】
前記請求項１乃至４のいずれかに記載のルータを具備することを特徴とするＩＰ電話システム。
【請求項６】
前記一般加入電話網を構成する交換機に設けられた、かつ、前記通話中通知音声信号を前記ルータ（１０）から受信すると前記第１の電話機のユーザに課金する課金手段をさらに具備することを特徴とする、請求項５記載のＩＰ電話システム。
【請求項７】
前記課金手段が、前記緊急通知信号を受信したときには、前記第１の電話機のユーザではなく、該緊急通知信号を送信した第３の電話機（２４）のユーザに課金することを特徴とする、請求項６記載のＩＰ電話システム。
【請求項８】
請求項５乃至７いずれかに記載のＩＰ電話システムにおいて前記第１の電話機（２１）と前記第２の電話機（２２）との間でＩＰ電話による通話が行われているときに第３の電話機（２４）からの一般加入電話の着信があった場合に該第３の電話機に対して応答するＩＰ電話通話中応答方法であって、
前記ルータ（１０）の前記ルータ機能制御部（１２）が、前記電話機接続口（１１4）を介して前記通話中通知指示信号を前記第１の電話機から受け取ると、前記状態切換信号および前記通話中通知音声信号を出力するように指示する制御信号を前記通話中通知部（１７）に出力するステップ（Ｓ１６）と、
前記通話中通知部が、前記ルータ機能制御部から前記制御信号を受け取ると、前記状態切換信号および前記通話中通知音声信号を出力するステップ（Ｓ１６）と、
前記ルータの一般加入電話信号送受信部（１３）が、前記通話中通知部から前記状態切換信号および前記通話中通知音声信号を受け取ると、該受け取った状態切換信号および通話中通知音声信号を前記一般加入電話網（３２）に前記一般加入電話網接続口（１１3）を介して送信するステップ（Ｓ１７）と、
を具備することを特徴とする、ＩＰ電話通話中応答方法。
【請求項９】
前記ルータ機能制御部が、前記制御信号を前記通話中通知部に出力したのちに、前記一般加入電話網から前記一般加入電話網接続口に送信されてきた緊急通知信号を受け取ると、「緊急の用事の着信である」旨を表わす緊急用事通知音声信号を前記第１の電話機に出力するステップをさらに具備することを特徴とする、請求項８記載のＩＰ電話通話中応答方法。
【請求項１０】
前記状態切換信号および前記通話中通知音声信号を前記一般加入電話網（３２）に送信する場合には、前記第１の電話機のユーザに課金する課金ステップをさらに具備することを特徴とする、請求項８または９記載のＩＰ電話通話中応答方法。
【請求項１１】
前記課金ステップにおいて、前記第３の電話機から前記緊急通知信号を前記一般加入電話網（３２）に送信する場合には、前記第１の電話機のユーザではなく、該第３の電話機のユーザに課金することを特徴とする、請求項１０記載のＩＰ電話通話中応答方法。
【発明の詳細な説明】
【技術分野】
【０００１】
本発明は、ルータ、ＩＰ電話システムおよびＩＰ電話通話中応答方法に関し、特に、ユーザＡがユーザＢとＩＰ電話による通話をしているときにユーザＣからの一般加入電話の着信があった場合にユーザＣに対して応答するのに好適なルータ、ＩＰ電話システムおよびＩＰ電話通話中応答方法に関する。
【背景技術】
【０００２】
従来、ＩＰ電話（インターネットプロトコルを用いて音声を通信する電話）および一般加入電話（電話回線を使用した電話）の両方が利用可能な電話機を備えたＩＰ電話システムにおいては、この電話機を使用するユーザＡがユーザＢと通話をしているときにユーザＣからの着信があった場合には、ユーザＡおよびユーザＣに対して次のような応答をしている（表１参照）。
（１）ユーザＡがユーザＢとＩＰ電話による通話をしているときにユーザＣからのＩＰ電話の着信があった場合には、ユーザＡに割込み音を発することなく、ユーザＣに通話中音を発する。
（２）ユーザＡがユーザＢとＩＰ電話による通話をしているときにユーザＣからの一般加入電話の着信があった場合には、ユーザＡに割込み音を発するとともにユーザＣに呼出し音を発する。このとき、ユーザＡがフッキングすると、現在通話中のユーザＢとの通話が切れて、ユーザＣとの通話が可能となる。
（３）ユーザＡがユーザＢと一般加入電話による通話をしているときにユーザＣからのＩＰ電話の着信があった場合には、ユーザＡに割込み音を発することなくユーザＣに通話中音を発する。
（４）ユーザＡがユーザＢと一般加入電話による通話をしているときにユーザＣからの一般加入電話の着信があった場合には、ユーザＡがキャッチホン契約をしているときにはユーザＡに割込み音を発するとともにユーザＣに呼出し音を発するが、ユーザＡがキャッチホン契約をしていないときにはユーザＡに割込み音を発することなくユーザＣに通話中音を発する。
【表１】
2007088558.tif 000003
【０００３】
なお、下記の特許文献１には、ＩＰ電話の利用者がインターネット網以外から電話が掛かってきた場合にインターネット網を通話に利用することなく着信に応答可能にするために、ＩＰ電話利用者付加サービス装置（ルータ装置）が、インターネット網用のインターネット接続口と、加入電話網用の電話網接続口と、ＩＰ電話と加入電話の双方を利用可能な電話機用の電話機接続口と、インターネットアクセス用の情報端末接続口とを備えており、ＩＰ電話の通話中に加入電話網から着信があると、ルータ機能制御装置が発信者の電話番号などの情報を受信し、加入電話網を開放して呼出音を鳴動させ、また、取得した情報を通話中の電話機に送り、通知音を発生させ、フッキングで加入電話網による通話を可能にするとともに通話中だった相手に保留音を送出するＩＰ電話利用者付加サービス装置が開示されている。
【０００４】
下記の特許文献２には、ＩＰ電話と加入電話との通話切替えまたはＩＰ電話とＩＰ電話との通話切替えを可能とするために、加入電話網への接続口とＡＤＳＬやＣＡＴＶなどのインターネット網への接続口と既存の電話機への接続口とを少なくとも有しＩＰ電話サービスや加入電話網にて通話が可能なルータ装置において、電話機にて通話中に新たな着信を受けた際に着信の通信網をユーザに通知する機能と、ＩＰ電話と加入電話との通話切替えおよびＩＰ電話とＩＰ電話との通話切替えを行う機能とを有するルータ装置が開示されている。
【０００５】
下記の特許文献３には、複数の通話回線に接続され、１つの通話回線での二者間の通話中に第三者からの着信を通知して適切に応答するために、ＡＤＳＬ化された加入者線に接続され、スプリッタで分離されるＰＳＴＮ回線とＡＤＳＬ回線とで、複数の通話回線に接続され、１つの通話回線を使用しての通話中に、他の通話回線に着信があると、使用者に対して着信表示音が通知され、着信の発信者に対しては呼出し音が送出され、使用者が操作パネルのキャッチボタンを押すと、通話中の相手に対しては保留状態となり、発信者に対して応答することができ、キャッチボタンをもう一度押すと、保留と応答とを切換えることができ、通話回線の種類を問わず、同一の操作でキャッチホンと同等の機能を実現することができる電話通信装置が開示されている。
【特許文献１】特開２００５−２０４２６２号公報
【特許文献２】特開２００５−０７３０８５号公報
【特許文献３】特開２００４−１８７０８２号公報
【発明の開示】
【発明が解決しようとする課題】
【０００６】
しかしながら、上述した従来のＩＰ電話システムにおいては、上記（２）に示したように、ユーザＡがユーザＢとＩＰ電話による通話をしているときにユーザＣからの一般加入電話の着信があった場合には、ユーザＣは、ユーザＡがフッキングしない限り、呼出し音が聞こえるだけであり、ユーザＡが不在で電話が繋がらないのか、ユーザＡが誰かと通話中で電話が繋がらないのか分からないという問題があった。
また、ユーザＣは、緊急の用事によりユーザＡに電話を掛けた場合でも、ユーザＡがユーザＢとの通話を終了しない限り、ユーザＡと通話ができないという問題があった。
【０００７】
本発明の目的は、ＩＰ電話による通話中に第三者からの一般加入電話の着信があったときにこの第三者に対する応答を適切に行うことができるルータ、ＩＰ電話システムおよびＩＰ電話通話中応答方法を提供することにある。
【課題を解決するための手段】
【０００８】
本発明のルータは、インターネット網（３１）に接続されたインターネット網接続口（１１1）と、一般加入電話網（３２）に接続された一般加入電話網接続口（１１3）と、ＩＰ電話および一般加入電話の両方が使用可能な第１の電話機（２１）に接続された電話機接続口（１１4）と、前記第１の電話機がオンフック状態からオフフック状態となったことを表わす状態切換信号と通話中通知音声信号とを出力する通話中通知部（１７）と、前記第１の電話機が該第１の電話機と前記インターネット網接続口および前記インターネット網を介して接続された第２の電話機（２２）とＩＰ電話による通話をしているときに前記電話機接続口を介して通話中通知指示信号を該第１の電話機から受け取ると、前記状態切換信号および前記通話中通知音声信号を出力するように指示する制御信号を前記通話中通知部に出力するルータ機能制御部（１２）とを具備することを特徴とする。
ここで、前記ルータ機能制御部が、前記通話中通知指示信号を前記第１の電話機から受け取る代わりに、該第１の電話機がオンフックされたことを表わすオンフック信号が所定の時間内に該第１の電話機から入力されない場合に、前記制御信号を前記通話中通知部に出力してもよい。
前記ルータ機能制御部が、前記通話中通知指示信号を前記第１の電話機から受け取る代わりに、該第１の電話機において特定の番号が押されたことを表わす特定番号信号を該第１の電話機から受け取った場合に、前記制御信号を前記通話中通知部に出力してもよい。
前記ルータ機能制御部が、前記制御信号を前記通話中通知部に出力したのちに、前記一般加入電話網から前記一般加入電話網接続口に送信されてきた緊急通知信号を受け取ると、「緊急の用事の着信である」旨を表わす緊急用事通知音声信号を前記第１の電話機に出力してもよい。
【０００９】
本発明のＩＰ電話システムは、本発明のルータを具備することを特徴とする。
ここで、前記一般加入電話網を構成する交換機に設けられた、かつ、前記通話中通知音声信号を前記ルータ（１０）から受信すると前記第１の電話機のユーザに課金する課金手段をさらに具備してもよい。
前記課金手段が、前記緊急通知信号を受信したときには、前記第１の電話機のユーザではなく、該緊急通知信号を送信した第３の電話機（２４）のユーザに課金してもよい。
【００１０】
本発明のＩＰ電話通話中応答方法は、本発明のＩＰ電話システムにおいて前記第１の電話機（２１）と前記第２の電話機（２２）との間でＩＰ電話による通話が行われているときに第３の電話機（２４）からの一般加入電話の着信があった場合に該第３の電話機に対して応答するＩＰ電話通話中応答方法であって、前記ルータ（１０）の前記ルータ機能制御部（１２）が、前記電話機接続口（１１4）を介して前記通話中通知指示信号を前記第１の電話機から受け取ると、前記状態切換信号および前記通話中通知音声信号を出力するように指示する制御信号を前記通話中通知部（１７）に出力するステップ（Ｓ１６）と、前記通話中通知部が、前記ルータ機能制御部から前記制御信号を受け取ると、前記状態切換信号および前記通話中通知音声信号を出力するステップ（Ｓ１６）と、前記ルータの一般加入電話信号送受信部（１３）が、前記通話中通知部から前記状態切換信号および前記通話中通知音声信号を受け取ると、該受け取った状態切換信号および通話中通知音声信号を前記一般加入電話網（３２）に前記一般加入電話網接続口（１１3）を介して送信するステップ（Ｓ１７）とを具備することを特徴とする。
ここで、前記ルータ機能制御部が、前記制御信号を前記通話中通知部に出力したのちに、前記一般加入電話網から前記一般加入電話網接続口に送信されてきた緊急通知信号を受け取ると、「緊急の用事の着信である」旨を表わす緊急用事通知音声信号を前記第１の電話機に出力するステップをさらに具備してもよい。
前記状態切換信号および前記通話中通知音声信号を前記一般加入電話網（３２）に送信する場合には、前記第１の電話機のユーザに課金する課金ステップをさらに具備してもよい。
前記課金ステップにおいて、前記第３の電話機から前記緊急通知信号を前記一般加入電話網（３２）に送信する場合には、前記第１の電話機のユーザではなく、該第３の電話機のユーザに課金してもよい。
【発明の効果】
【００１１】
本発明のルータ、ＩＰ電話システムおよびＩＰ電話通話中応答方法は、ＩＰ電話による通話中に第三者からの一般加入電話の着信があったときにルータから一般加入電話網に状態切換信号および通話中通知音声信号を送信することにより、この第三者に「通話中である」旨を音声で知らせることができるので、この第三者は通話中により電話が繋がらないことを容易に知ることができるという効果を奏する。
また、第三者が緊急通知信号を送り返すことにより、第三者が緊急の用事により電話を掛けた旨を知らせることができるという効果を奏する。
【発明を実施するための最良の形態】
【００１２】
ＩＰ電話による通話中に第三者からの一般加入電話の着信があったときにこの第三者に対する応答を適切に行うという目的を、状態切換信号および通話中通知音声信号をルータから一般加入電話網に送信したり、緊急通知信号をルータに送り返したりすることにより実現した。
【実施例１】
【００１３】
以下、本発明のルータ、ＩＰ電話システムおよびＩＰ電話通話中応答方法の実施例について、図面を参照して説明する。
本発明の一実施例によるＩＰ電話システム１は、図１に示すように、ユーザＡが使用する第１の電話機２１と、第１の電話機２１に接続された第１のルータ１０（本発明の一実施例によるルータ）と、ユーザＢが使用する第２の電話機２２と、第２の電話機２２に接続された第２のルータ２３と、ユーザＣが使用する第３の電話機２４とを具備する。
ここで、第１および第２の電話機２１，２２は、ＩＰ電話と一般加入電話との両方が使用可能な電話機であり、第１および第２のルータ１０，２３を介してインターネット網３１および一般加入電話網３２の両方に接続されている。一方、第３の電話機２４は、一般加入電話のみが使用可能な電話機であり、一般加入電話網３２にのみ接続されている。
【００１４】
第１の電話機２１が接続された第１のルータ１０は、図２に示すように、インターネット網接続口１１1と、情報端末接続口１１2と、一般加入電話網接続口１１3と、電話機接続口１１4と、ルータ機能制御部１２と、一般加入電話信号送受信部１３と、トーン制御部１４と、音声変換制御部１５と、リレー制御部１６と、通話中通知部１７とを備える。
【００１５】
インターネット網接続口１１1は、ＡＤＳＬ（Asymmetric Digital Subscriber Line）などのインターネット網３１に接続されており、インターネット通信およびＩＰ電話通信を行うための接続口である。情報端末接続口１１2は、パーソナルコンピュータなどの情報端末装置（不図示）と接続するための接続口である。一般加入電話網接続口１１3は、一般加入電話網３２に接続されており、一般加入電話通信を行うための接続口である。電話機接続口１１4は、第１の電話機２１と接続するための接続口である。
【００１６】
ルータ機能制御部１２は、インターネット網接続口１１1および情報端末接続口１１2に接続されており、ルーティングテーブル（不図示）に基づいてルーティング動作を行ったり、インターネット網３１に接続された各種装置との間でインターネット網接続口１１1を介して送受信されるデータ信号などを処理したり、情報端末装置との間で情報端末接続口１１2を介して送受信されるデータ信号などを処理したりする。
また、ルータ機能制御部１２は、インターネット網３１を介して送信されてくる第２の電話機２２からのパケット化音声信号（パケット化された音声信号）からディジタル音声信号を抽出したり、音声変換制御部１５から入力されるディジタル音声信号をパケット化音声信号に変換したりする。
さらに、ルータ機能制御部１２は、次に示すような処理を行う。
（１）一般加入電話信号送受信部１３から着信信号が入力されると、新たな着信をユーザＡに知らせるための割込み音を第１の電話機２１に鳴動させるように指示する制御信号をトーン制御部１４に出力する。
（２）電話機接続口１１4を介して通話中通知指示信号を第１の電話機２１から受け取ると、第１の電話機２１がオンフック状態からオフフック状態となったことを表わす状態切換信号と「第１の電話機２１はＩＰ電話による通話中である」旨を表わす通話中通知音声信号とを出力するように指示する制御信号を通話中通知部１７に出力する。
【００１７】
一般加入電話信号送受信部１３は、一般加入電話網接続口１１3に接続されており、ルータ機能制御部１２の制御の下、第３の電話機２４との間で一般加入電話網３２を介した各種信号の送受信処理を行う。
たとえば、一般加入電話信号送受信部１３は、第３の電話機２４からの着信信号が一般加入電話網接続口１１3を介して入力されると、入力されてきた着信信号をルータ機能制御部１２に出力する。
また、一般加入電話信号送受信部１３は、上述した状態切換信号および通話中通知音声信号を通話中通知部１７から受け取ると、受け取った状態切換信号および通話中通知音声信号を一般加入電話網３２に一般加入電話網接続口１１3を介して送信する。
【００１８】
トーン制御部１４は、電話機接続口１１4に接続されており、ルータ機能制御部１２の制御の下、割込み音を鳴動させるトーン制御信号を第１の電話機２１に電話機接続口１１4を介して出力する。
【００１９】
音声変換制御部１５は、ルータ機能制御部１２の制御の下、ルータ機能制御部１２から入力される第２の電話機２２からのディジタル音声信号をアナログ音声信号に変換したり、リレー制御部１６から入力される第１の電話機２１からのアナログ音声信号をディジタル音声信号に変換したりする。
【００２０】
リレー制御部１６は、電話機接続口１１4に接続されており、ルータ機能制御部１２の制御の下、音声変換制御部１５から入力される第２の電話機２２からのアナログ音声信号を電話機接続口１１4を介して第１の電話機２１に出力したり、第１の電話機２１から電話機接続口１１4を介して入力される第１の電話機２１からのアナログ音声信号を音声変換制御部１５に出力したりする。
【００２１】
通話中通知部１７は、ルータ機能制御部１２の制御の下、第１の電話機２１がオンフック状態からオフフック状態となったことを表わす状態切換信号と「第１の電話機２１はＩＰ電話による通話中である」旨を表わす通話中通知音声信号とを一般加入電話信号送受信部１３に出力する。
【００２２】
第２のルータ２３は、通話中通知部１７を備えていない点を除いては、上述した第１のルータ１０と同様に構成されている。
【００２３】
次に、図１に示したＩＰ電話システム１の動作（本発明の一実施例によるＩＰ電話通話中応答方法）について、図３に示すフローチャートを参照して説明する。
なお、ユーザＡが第１の電話機２１を用いてユーザＢの第２の電話機２２との間でＩＰ電話による通話を行っているときに、ユーザＣが第３の電話機２４を用いて第１の電話機２１に一般加入電話を掛けた場合におけるＩＰ電話システム１の動作についてのみ説明する。
【００２４】
ユーザＣが一般加入電話を掛ける前においては、リレー制御部１６は、電話機接続口１１4と音声変換制御部１５とを接続するようにルータ機能制御部１２によって制御されている。したがって、第１の電話機２１から電話機接続口１１4に入力されてくるユーザＡのアナログ音声信号は、リレー制御部１６を介して音声変換制御部１５に入力されたのち、音声変換制御部１５においてディジタル音声信号に変換される。
【００２５】
ユーザＡのディジタル音声信号は、音声変換制御部１５からルータ機能制御部１２に入力されたのち、ルータ機能制御部１２においてパケット化音声信号に変換される。ユーザＡのパケット化音声信号は、ルータ機能制御部１２からインターネット網接続口１１1およびインターネット網３１を介して第２のルータ２３に送信されたのち、第２のルータ２３においてアナログ音声信号に変換されて第２の電話機２２に出力される。
【００２６】
一方、ユーザＢのアナログ音声信号は、第２の電話機２２から第２のルータ２３に入力されたのち、第２のルータ２３においてパケット化音声信号に変換される。ユーザＢのパケット化音声信号は、インターネット網３１を介して第１のルータ１０に送信される。
ユーザＢのパケット化音声信号は、インターネット網接続口１１1を介してルータ機能制御部１２に出力されたのち、ルータ機能制御部１２においてディジタル音声信号が抽出される。ユーザＢのディジタル音声信号は、音声変換制御部１５に出力されたのち、音声変換制御部１５においてアナログ音声信号に変換される。
ユーザＢのアナログ音声信号は、リレー制御部１６および電話機接続口１１4を介して第１の電話機２１に出力される。
以上の動作が繰り返されることにより、ＩＰ電話による通話がユーザＡとユーザＢとの間で行われる（以上、ステップＳ１１）。
【００２７】
ユーザＡとユーザＢとの間のＩＰ電話による通話中にユーザＣが第３の電話機２４を用いて第１の電話機２１に一般加入電話を掛けると、着信信号が一般加入電話網３２を介して第１のルータ１０に送信される（ステップＳ１２）。
また、ユーザＣの第３の電話機２４には、一般加入電話網３２を構成する交換機によって呼出し音が鳴動される。
【００２８】
一般加入電話信号送受信部１３は、この着信信号が一般加入電話網接続口１１3を介して入力されると、入力されてきた着信信号をルータ機能制御部１２に出力する（ステップＳ１３）。
【００２９】
ルータ機能制御部１２は、一般加入電話信号送受信部１３から着信信号が入力されると、新たな着信をユーザＡに知らせるための割込み音を第１の電話機２１に鳴動させるように指示する制御信号をトーン制御部１４に出力する。
トーン制御部１４は、ルータ機能制御部１２からこの制御信号を受け取ると、割込み音を鳴動させるトーン制御信号を第１の電話機２１に電話機接続口１１4を介して出力する（以上、ステップＳ１４）。
【００３０】
これにより、ユーザＡは、第１の電話機２１から割込み音が発せられるので一般加入電話の着信があったと分かるが、ユーザＢとの通話を中断することができない場合には、第１の電話機２１の所定のボタン（たとえば、「♯」ボタン）を押すことにより、通話中通知音声信号をユーザＣに送信することを指示する通話中通知指示信号を第１の電話機２１から第１のルータ１０に出力させる（ステップＳ１５）。
【００３１】
第１のルータ１０のルータ機能制御部１２は、電話機接続口１１4を介して通話中通知指示信号を第１の電話機２１から受け取ると、第１の電話機２１がオンフック状態からオフフック状態となったことを表わす状態切換信号と「第１の電話機２１はＩＰ電話による通話中である」旨を表わす通話中通知音声信号とを出力するように指示する制御信号を通話中通知部１７に出力する。
通話中通知部１７は、ルータ機能制御部１２からこの制御信号を受け取ると、状態切換信号および通話中通知音声信号を一般加入電話信号送受信部１３に出力する（以上、ステップＳ１６）。
【００３２】
一般加入電話信号送受信部１３は、通話中通知部１７から状態切換信号および通話中通知音声信号を受け取ると、受け取った状態切換信号および通話中通知音声信号を一般加入電話網３２に一般加入電話網接続口１１3を介して送信する（ステップＳ１７）。
これにより、状態切換信号によって第１の電話機２１と第３の電話機２４との間の呼接続が仮想的に確立されて、通話中通知音声信号が第１のルータ１０から第３の電話機２４に一般加入電話網３２を介して送信される。その結果、「第１の電話機２１はＩＰ電話による通話中である」旨の音声が第３の電話機２４から発せられるので、ユーザＣは、ユーザＡが不在ではなく通話中のために電話に出られないことを知ることができる。
【００３３】
その後、ユーザＣが第３の電話機２４を切る前にユーザＡがユーザＢとの通話を終えて第１の電話機２１のフッキングを行うと、ルータ機能制御部１２は、電話機接続口１１4と一般加入電話信号送受信部１３とを接続させる制御信号をリレー制御部１６に出力する。これにより、第１の電話機２１と第３の電話機２４とが一般加入電話網３２を介して接続されるので、ユーザＡとユーザＣとは一般加入電話による通話を行うことができる。
【００３４】
以上の説明では、第１のルータ１０のルータ機能制御部１２は、通話中通知指示信号を第１の電話機２１から受け取ると、状態切換信号および通話中通知音声信号を出力するように指示する制御信号を通話中通知部１７に出力したが、次のようにしてもよい。
（１）割込み音を第１の電話機２１に鳴動させるように指示する制御信号をトーン制御部１４に出力したのち所定の時間（たとえば、５秒）が経過しても第１の電話機２１がオンフックされたことを表わすオンフック信号が第１の電話機２１から電話機接続口１１4を介して入力されない場合には、状態切換信号および通話中通知音声信号を出力するように指示する制御信号を通話中通知部１７に出力する。
（２）所定のボタンの代わりに特定の番号（たとえば、“００１”）をユーザＡが押したことを表わす特定番号信号を第１の電話機２１から電話機接続口１１4を介して受け取ると、状態切換信号および通話中通知音声信号を出力するように指示する制御信号を通話中通知部１７に出力する。
【００３５】
また、ユーザＣが緊急の用事でユーザＡと通話したい場合を考慮して、次のようにしてもよい。
通話中通知音声信号を「第１の電話機２１はＩＰ電話による通話中です。緊急の用事の場合には“♯”ボタンを押してください。」という旨を表わすものに変更する。
「第１の電話機２１はＩＰ電話による通話中です。緊急の用事の場合には“♯”ボタンを押してください。」という音声を第３の電話機２４から聞いたユーザＣが“♯”ボタン（所定のボタン）を押すと、♯”ボタンが押されたことを表わす緊急通知信号を第３の電話機２４から一般加入電話網３２を介して第１のルータ１０に送信する。
第１のルータ１０のルータ機能制御部１２は、一般加入電話信号送受信部１３を介して緊急通知信号を受け取ると、「緊急の用事の着信である」旨を表わす緊急用事通知ディジタル音声信号を音声変換制御部１５に出力する。
緊急用事通知ディジタル音声信号は、音声変換制御部１５において緊急用事通知アナログ音声信号に変換されたのち、リレー制御部１６および電話機接続口１１4を介して第１の電話機２１に送信される。
その結果、「緊急の用事の着信である」旨を表わす音声が第１の電話機２１から発せられるので、ユーザＡは、第１の電話機２１をフッキングすることにより、ユーザＢとのＩＰ電話による通話からユーザＣとの一般加入電話による通話に切り換えることができる。
【００３６】
さらに、通話中通知音声信号を第１のルータ１０から第３の電話機２４に送信する際の課金をユーザＡにする場合には、通話中通知音声信号を特定の信号として、一般加入電話網３２を構成する交換機に、通話中通知音声信号を受信したときには、ユーザＣではなくユーザＡに課金する課金手段を設ければよい。
ただし、その後に第３の電話機２４から緊急通知信号を受信したときには、課金手段がユーザＣに課金するようにしてもよい。
【産業上の利用可能性】
【００３７】
以上説明したように、本発明のルータ、ＩＰ電話システムおよびＩＰ電話通話中応答方法は、たとえば、ＩＰ電話と一般加入電話の両方が利用可能な電話機を備えたＩＰ電話システムに利用することができる。
【図面の簡単な説明】
【００３８】
【図１】本発明の一実施例によるＩＰ電話システムの構成を示すブロック図である。
【図２】図１に示した第１のルータ１０の構成を示すブロック図である。
【図３】図１に示したＩＰ電話システム１の動作を説明するためのフローチャートである。
【符号の説明】
【００３９】
１  ＩＰ電話システム
１０，２３  第１および第２のルータ
１１1  インターネット網接続口
１１2  情報端末接続口
１１3  一般加入電話網接続口
１１4  電話機接続口
１２  ルータ機能制御部
１３  一般加入電話信号送受信部
１４  トーン制御部
１５  音声変換制御部
１６  リレー制御部
１７  通話中通知部
Ｓ１１〜Ｓ１７  ステップ
【図１】
2007088558.tif 000004
【図２】
2007088558.tif 000005
【図３】
2007088558.tif 000006